(57)【要約】流体容器に結合するのに適したディスペンサー。ディスペンサーは、ディスペンシングヘッド、エネルギー源、及び流路を含む。ディスペンシングヘッドは、流体ポンプ、ポンプを作動させるのに適合したモータ、モータを制御するのに適合した引き金、及びポンプの放出端部と流体連通するノズル開口部を含む。流路は、ポンプの吸入端部と流体連通する一部分、及び容器の内部にある別の部分を含む。一実施形態において、流体ポンプは蠕動ポンプである。本発明は、バルブを通過する流れを制御する膜を有するバルブをさらに備えてもよく、前記膜は開閉状態を有し、要素は、膜が閉鎖状態になるように加圧し、またバルブの一端の真空圧は要素を圧迫するのに打ち勝ってもよく、それにより、膜を開いた位置へと動かしてもよい。
2011530398.tif 000002
【特許請求の範囲】
【請求項１】
容器内の物質を出すために前記容器に接続するように適合したディスペンサーであって、
蠕動ポンプ、前記蠕動ポンプを作動させるように適合したモータ及びギヤアセンブリ、前記モータを作動させるように適合した引き金、ノズル開口部と流体連通する第１の端部及び前記容器と流体連通する第２の端部を有する導管を含むディスペンシングヘッドと、
前記モータに電気的に接続したエネルギー源と、を含み、
前記エネルギー源は、前記蠕動ポンプ、モータ、引き金及びノズル開口部から分離しているディスペンサー。
【請求項２】
ロックをさらに含み、前記ロックは第１及び第２の位置を有し、前記第１の位置は、前記引き金が作動するようにし、前記第２の位置は前記引き金が作動するのを防止する請求項１に記載のディスペンサー。
【請求項３】
前記導管にバルブをさらに含み、前記バルブは、流体が一方向にだけ流れるようにし、前記一方向は蠕動ポンプに向く請求項１に記載のディスペンサー。
【請求項４】
前記バルブは、ダックビル物質記憶スロットを入れたバルブである請求項４に記載のディスペンサー。
【請求項５】
前記エネルギー源は、第１の固い電気接点を含み、前記第１の電気接点は引き金が作動時に、第２の固い電気接点と接触して、電気回路を完成して前記モータを作動させる請求項１に記載のディスペンサー。
【請求項６】
前記導管の流路は、前記蠕動ポンプを取り込む請求項１に記載のディスペンサー。
【請求項７】
空気を前記容器に戻す空気回復バルブをさらに含む請求項１に記載のディスペンサー。
【請求項８】
前記空気回復バルブは、
第１及び第２の側部と、
開放位置及び閉鎖位置を含み、前記第１及び第２側部の間の前記バルブを介する流れを制御するための膜と、
前記膜が閉鎖位置になるように加圧する要素であって、前記第１及び第２側部の一方の真空圧力が前記要素の加圧に打ち勝ち、前記膜が開放位置に移動する加圧する要素と、
前記膜の動きを開始又は容易にする作動装置と、
を含み請求項７に記載のディスペンサー。
【請求項９】
前記空気回復バルブは、一つの側から他の側に流れさせる一方向バルブである請求項８に記載のディスペンサー。
【請求項１０】
前記膜は、傘状のバルブ膜である請求項９に記載のディスペンサー。
【請求項１１】
前記真空圧力は、作動可能に前記第２の側部に接続される請求項９に記載のディスペンサー。
【請求項１２】
容器内の物質を出すために前記容器に接続するように適合したディスペンサーであって、
蠕動ポンプ、前記蠕動ポンプを作動させるように適合したモータ及びギヤアセンブリ、前記モータを作動させるように適合した引き金、ノズル開口部と流体連通する第１の端部及び前記容器と流体連通する第２の端部を有する導管を含むディスペンシングヘッドと、
前記ディスペンシングヘッドに位置して、前記容器に作動可能に接続されて、前記容器に空気が流れるようにするバルブアセンブリと、を含み、前記容器の真空の発生によって開かれる前記バルブアセンブリのバルブ膜が位置するディスペンサー。
【請求項１３】
前記バルブ膜は、傘状のバルブ膜である請求項１２に記載のディスペンサー。
【請求項１４】
前記バルブアセンブリは、前記バルブ膜を開くために前記容器の真空が打ち勝つように、閉鎖バイアスを前記バルブ膜に提供するばね部材をさらに含む請求項１２に記載のディスペンサー。
【請求項１５】
前記バルブアセンブリは、前記バルブ膜の開放を開始するための機械的手段をさらに含む請求項１２に記載のディスペンサー。
【請求項１６】
前記バルブ膜の開放を開始するための機械的手段は、前記引き金の作動によって作動する請求項１５に記載のディスペンサー。
【請求項１７】
前記バルブアセンブリは、前記バルブ膜に接触することによって前記バルブ膜の開放を開始する機械式のロッドをさらに含む請求項１２に記載のディスペンサー。
【請求項１８】
前記機械式のロッドは、前記引き金の作動によって作動する請求項１７に記載のディスペンサー。
【請求項１９】
前記容器の真空は、前記容器から流体をポンピングすることによって生成される請求項１８に記載のディスペンサー。
【請求項２０】
前記モータに電気的に接続されたエネルギー源をさらに含み、
前記エネルギー源は、前記蠕動ポンプ、モータ、引き金、及びノズル開口部と分離している請求項１２に記載のディスペンサー。
【発明の詳細な説明】
【技術分野】
【０００１】
本出願は、２００４年８月２５日に出願された米国特許出願１０／９２５，５３９号、現在の米国特許７，３８４，００６号の継続出願である２００８年６月１０日に出願された米国特許出願１２／１３６，４５１号の一部継続出願である。米国特許７，３８４，００６号は、２００４年６月８日に出願された米国特許出願１０／８６３，８１７号、現在の米国特許７，３２８，８５９号の継続出願である２００４年８月９日に出願された米国特許出願１０／９１５，９５４号の一部継続出願である。米国特許７，３２８，８５９号は、２００３年１２月１８日に出願された米国仮出願６０／５３０，８６９号に優先権を主張する２００４年４月２７日に出願された米国特許出願１０／８３２，６８２号、現在の米国特許７，０９７，１１９号の継続出願である。前記各出願は、全体の参照により本願に組み込まれる。本出願は、さらに２００７年３月２９日に出願された米国特許出願１１／６９３，４２６号及び２００７年１２月２１日に出願された１１／９６３，２８２号の一部継続出願であり、前記各出願は全体の参照により本願に組み込まれる。
【背景技術】
【０００２】
本発明は、物質を出す装置及び方法に関する。より具体的には、本発明は、流体を出す装置及び方法に関し、出される流体を収容する容器の付属品のためのパワーディスペンサーに関する。
【０００３】
手動噴霧器は、窓及びお手洗い洗浄剤、またはＡＲＭＯＲ  ＡＬＬ（登録商標）等の家庭用の液体の容器に装着される。家庭用の液体は、噴霧器のレバーを繰り返し強く握ることによって手動噴霧器から出される。このような動作は面倒である。結果として、最近では動力噴霧器が手動噴霧器と代替するために開発されてきている。
【発明の概要】
【発明が解決しようとする課題】
【０００４】
このような最近の動力噴霧器は、いくつかの欠点がある。第１に、動力噴霧器は、しばしば家庭用の液体の市販の容器に装着することができず、代りにユーザによって詰め替えざるを得ない特別な容器に依存する。これは、扱い難いこともあり、ユーザにとって不便な場合もある。
【０００５】
第２に、最近の動力噴霧器は、手動噴霧器よりもかなり大きくて重いスプレーヘッドまたは、ハウジングを有する。結果として、最近の動力噴霧器は重くて扱い難いという傾向がある。それらは、非動力噴霧器に比べて高価な傾向があり、少なくともこのような理由により、その市場性は最適とはならなかった。
【０００６】
本発明は、さらに流れの制御、開始及び停止を制御するための流れ制御、バルブ、及び装置に関し、このような制御、バルブ、及び装置の製造と使用方法に関する。より具体的には、本発明は一方向への流れの制御、開始及び／又は停止る制御、バルブ、及び装置に関し、さらに具体的には、作動装置アシスト（ａｃｔｕａｔｏｒ  ａｓｓｉｓｔ）を含む一方向バルブに関する。
【０００７】
一方向バルブを含むバルブは、多くの状況及び分野で物質の流れに影響を与えたり、流れを制御したり調節するのに用いられる。例えば、精錬業または化学処理産業、コーティングシステムまたはコーティングメカニズム、そして手動噴霧器、ウォーターガン、ロボット噴霧器等のディスペンシングシステムまたはディスペンシングメカニズムがある。
【０００８】
バルブが関連したり用いられたりする流れ、噴霧器システム、または、流路であっても、制御されるべき物質流動は、ノズル、ディスペンシングシステムまたはスプレーヘッドの内部、バルブ部品または表面、例えば、台座、柄、周辺端部等に粘着性残留物を漏出、及び／または、残す強引な決まりきった方式を含むかもしれない。例えば、スプレーヘッドの内部に備えるバルブは、噴霧器の空気または、流体の流れを調節して漏出を防ぐのに用いられる。しかし、このようなバルブが流体の残された残留物によって粘着性になることもある。従って、バルブは開かれた状態でくっついて漏れたり、及び／または閉じた状態でくっついて空気や流体が通過できなくなったりすることもある。粘着性残留物は、バルブと噴霧器の容器から出てくる流体との間の直接的な接触によって、または、容器中の流体から発生する蒸気との接触によって、発生することがある。
【０００９】
当該分野において、従来の手動噴霧器と同様の大きさと形状のスプレーヘッドまたは、ハウジングを有する動力噴霧器に対する要求がある。また、当該分野で、漏出の可能性、不十分な性能、故障を補正、及び／又は減少させるようにするバルブや、いくつかの実施形態においては一方向バルブに対する要求がある。当該分野で、バルブの開放を開始、及び／又は容易にする作動装置アシストを有するバルブに対する要求がある。当該分野で、残す強引な決まりきった方式に用いる適当な動作を維持する、適当に加圧された流体容器及びバルブを保持するディスペンシングシステムまたは噴霧器システム、噴霧器、動力噴霧器、または、これと類似するものに対するさらなる要求がある。
【課題を解決するための手段】
【００１０】
一実施形態において、本発明は、電動液体スプレーヘッドまたは、スプレーポンプアセンブリを含む噴霧器である。本発明は、押しボタンで作動する、様々な一般的な液体または流体物質のための自動動力噴霧器をユーザに提供するために適応させた動作メカニズムを含む。本発明の動力噴霧器によって出されたり、吹き付けたりする材料の例として、ガラス洗浄剤などの洗浄物質を含む。本発明は、アイテムを水で吹き付けたり、霧吹きしたりすることに用いることができ、本発明は、殺虫剤、殺菌剤などを出すために用いることができる。また本発明は、例えば、日焼け止め剤、液状洗浄剤、消毒剤、除草剤、実質的に、スプレー、霧状にした、蒸気、ストリーム、エアゾール、または、霧状に出し、適用し、用いることのできる幅広い他の製品の物質や物質に用いてもよい。
【００１１】
一実施形態において、本発明の噴霧器は、典型的で、一般的なボトルまたは、物質を収容する他の容器に合うようにデザインされたハウジングまたは、取付け装置（ａｔｔａｃｈｍｅｎｔ）を含む。このような容器の例は、一般的な窓洗浄剤に用いられるタイプである。本発明の噴霧器、特にノズルは、細かな霧状のものから強いもの、またある実施形態では一般的に凝集したストリームまで調節が可能である。
【００１２】
一実施形態において、本発明は、流体容器に接続するように適合したディスペンサーを含む。前記ディスペンサーは、ディスペンシングヘッド、エネルギー源、及び流路を含む。ディスペンシングヘッドは、流体ポンプ、前記ポンプに動力を供給するように適合したモータ、前記モータを制御するよう適合した引き金、そして前記ポンプの放出端部と流体連通するノズル開口部を含む。流路は、前記ポンプの吸入端部と流体連通する部分と、前記容器の内部の別の部分とを含む。
【００１３】
一実施形態において、本発明は、噴霧器が取付けられた前記容器または、ボトルの内部に配置され、動力噴霧器がいかなる角度、及び逆さまでも作動するように重みがつけられ、十分に柔軟性のあるピックアップチューブを含む。
【００１４】
一実施形態において、前記ピックアップチューブの端部に位置する錘は、端部にスロットのあるダイカストまたは、真鍮の錘であってもよい。スロットは、ボトルの側部に対して詰まったり、閉じたりすることから錘と連結された取り入れ口を保つ。一実施形態によれば、錘が取付けられたピックアップチューブは非常に柔軟なシリコーンや同種の材料からなるが、十分に柔軟であれば、いかなる材料であっても選択できる。ピックアップチューブの長さは引っ掛かったり、絡まったりしないように選択しなければならない。
【００１５】
一実施形態において、本発明は、様々な物質用の典型的な容器またはボトルに交換可能に用いられる、バッテリで作動する液体スプレーポンプを含む。本発明のスプレーポンプは、様々な目的で用いることができる。例えば、家で、窓クリーナーのなどの洗浄液をスプレーポンプで吹き付けたり、出したりしてもよい。また、ガレージで、自動車に用いるために、様々な洗浄材料を本発明による噴霧器を用いて出したり、適用したりしてもよい。また、庭園で本発明を殺虫剤や除草剤を吹き付けたり、出したりするために用いてもよく、植物に水を与えるために用いてもよい。本発明は、家庭や職場、これまで手動ポンプ噴霧器が用いられたあらゆるところで、幅広く、様々な応用や利用に用いてもよい。
【００１６】
一実施形態において、本発明の噴霧器がボトルまたは容器に取付けられた時に、本発明のポンプユニットまたは噴霧器は、チューブ型ハウジングの前記容器またはボトルのネックの内部に収容される２つのバッテリ（適当な数のバッテリを用いる）を含む。他の実施形態によれば、本発明のポンプユニットまたは噴霧器は、噴霧器のハウジングの分離した区画に入れられる２つのバッテリを含む。他の実施形態によれば、他の適した動力源（例えば、１つコンデンサ、複数のコンデンサなど）を用いでもよい。
【００１７】
一実施形態おいて、本発明の噴霧器は、引き金、例えば、電動ポンプシステムをオンし、圧力によってスプレーノズルに液体を運び、調節可能なスプレーミストを発生させるプッシュボタンタイプの引き金を含む。引き金は、指を用いたオン／オフ制御を許容する。ユーザは、スプレーが必要な時には簡単にボタン触れるまたは押し、ボタンを離すとスプレーは止まる。一実施形態によれば、錘を含むボトル内のピックアップチューブが様々な角度でのスプレーを可能にする。
【００１８】
一実施形態において、本発明の噴霧器ユニットは、いかなる標準の洗浄ボトルにも合うようにデザインされ、このような洗浄ボトルは、物質を出すためにユーザが満たして使用することのできる空きボトルを含んでもよい。
【００１９】
他の実施形態において、小さな漏斗を提供してもよい。本発明の他の特徴は、細かな霧状のものから強いもの、実質的に凝集したストリームに調節が可能なノズルを含む。本発明のスプレーヘッドユニットの取付け機構は、典型的な標準サイズのボトルまたは容器に合う必要あり、様々な大きさの開口を有する容器に合うように調節することもできる。一実施形態において、取付け機構またはコネクタは、ネジ式のアダプタピースである。本発明と結合される前記システムは、防水であるべきで、部品が洗浄剤または、石鹸を含む化学製品または水に触れることによって錆ついたり、腐食したりしてはならない。一実施形態において、本発明は容器の内容物が出されるように容器に取付ける電動ピストンポンプ及びノズルを含む。他の実施形態において、本発明は、ギヤポンプ、または異なる適当なポンプ機構を含むことができる。
【００２０】
一実施形態において、本発明は、出される物質が入れられた容器、または容器上に装着するためのディスペンシング取付け装置（ｄｉｓｐｅｎｓｉｎｇ  ａｔｔａｃｈｍｅｎｔ）を含み、前記ディスペンサーは、例えば、バッテリのような動力源、モータ、作動機構、ポンプ、ノズル、及びピックアップチューブを含む。
【００２１】
ある実施形態において、本発明は、操作する人に便利で容易に本発明の引き金または作動ボタンをロックまたはロック解除できるようにするあらゆる適切な方法からなる安全ロックを含む。一実施形態において、本発明は、安全ロックアウトレバーまたは、スライドタイプボタンを含んでもよい。ある実施形態において、本発明は、子供用の安全キャップとしても利用可能である。
【００２２】
一実施形態において、本発明は、モータ、ピストンポンプ、柔軟な錘のついた液体吸引チューブまたは、ピックアップチューブ、バッテリハウジング及び調節可能なノズルを含む電動噴霧器ユニットを含む。適当な液体導管が本発明の液体導入部と接続し、流路を提供するために用いてもよい。一実施形態において、本発明は、手動ポンプ及びポンプ引き金、またはそのような噴霧器に典型的にみられる作動メカニズムの代りに簡単な引き金、またはプッシュボタンの作動スイッチを用いて、ユーザに過度の指または手のポンピングまたは屈曲作用なしにスプレーできるようにする。ある実施形態においては、スイッチはオン／オフの２種類の状態を有するスイッチであってもよい。他の実施形態において、可変スピードスイッチ装置を用いてもよい。このような装置は、マイクロプロセッサー、抵抗器または、他の適した制御部品を組み込んでもよい。
【００２３】
本発明のスプレーヘッドの一実施形態の長所は、便利で快適な本発明の取り扱いと利用と一致し、促進するように、スプレーヘッドがボトルに取付けられた時に、バッテリまたは他の適当な動力源がボトルのネック内部にフィットすることにある。
【００２４】
一実施形態において、ハンドル部及びボトルの内部に伸びるバッテリユニットを含む全体のポンプユニットは、１つのピースとしてねじ式キャップの周囲に旋回軸的に適用されなければならない。これは、スプレーヘッドをボトルまたは他の容器に装着することを容易にする。
【００２５】
一実施形態において、ノズルは、スプレーとストリームを含む選択されたディスペンシング形態の間で回転可能である。ノズル及び／または噴霧器は、グラフィック的に、または他の作動可能な条件を表示する表示を提供してもよい。ある実施形態においては、噴霧器は、検出及び表示機構、及び／または、電子制御機構、例えば、調節可能な抵抗出力圧力制御を提供するために、適した電子部品を組み込むことによって、適用してもよい。例えば、噴霧器は、ディスペンシング圧力、残った内容物などを検知し、表示してもよい。本発明は、また、例えば、バッテリの残量などの作動状態の視覚信号を適当な光源、例えば、電球、ＬＥＤ等を提供することにより適用してもよい。本発明は、さらにユーザまたは潜在的な購買者に、例えば、視覚的、触覚的、聴覚的などの別の種類の信号を提供してもよい。
【００２６】
一実施形態において、本発明は、バッテリハウジング、バッテリ、ストロー状の液体吸引またはピックアップチューブ、柔軟で曲げやすいチューブ、ポンプ、モータ、及びギヤアセンブリ、安全ロックアウトタブ（ｓａｆｅｔｙ  ｌｏｃｋｏｕｔ  ｔａｂ）、主要なチャンバー、複数位置ノズル、引き金接触スイッチ、引き金及び錘を含むピックアップチューブを有する動力電動スプレーポンプヘッドを含む。安全ロックタブは、パワーサプライを妨害してもよく、及び／または引き金の位置決めまたは押すことを物理的に可能にしたり、しなかったりしてもよい。
【００２７】
本発明の部品は、複数の接続ピースで形成されてもよく、１つのピースで形成されてもよいハウジングの内部に適切に収容される、または、ハウジングから外部に延長される。
【００２８】
一実施形態において、本発明は、本発明の作動可能な部品及び機構保持又は装着のためのハウジングを含む。ハウジングの出口端部で、本発明は、噴霧器の調節のためのノズルのキャップを含む。シーリングのために内部ワッシャ及びゴムワッシャが提供され、軸カバーが端部を閉じるために提供される。本発明は、第１の一方向バルブ、適切なコネクタチューブ及び第２の一方向バルブを含むハウジングに流路を提供する。第２の一方向バルブの一端は、往復運動のためのピストンリング及びロッドを含むピストンハウジングと接続される。ピストンリング及びロッドは、ギヤを収容するギヤボックスと作動可能に接続され、モータによって順次駆動する。このような部品は、カバーやハウジングに適切に収容される。ハウジングは、ボトルまたは他の容器のネックに接続のためのねじ状の、キャップ状の構造をもたらすために適応される。バッテリチューブまたはハウジングは、一般的にカバーの下の方からキャップ部を介して伸びている。これは、要求される多くのバッテリのための水または液体に耐性のハウジングを提供する。
【００２９】
取り入れ口側において、本発明は、一端にプラスチックリング及びチューブコネクタを持つ吸収性チューブを含む。プッシュボタンの引き金はハウジングと結合し、安全ロックは引き金の機能に影響を与えられるように作動可能にハウジングと接続される。
【００３０】
適切なバルブまたは流れ制御装置は、圧力平衡のために提供され、例えば、１つまたは複数の適切な一方向バルブを用いる。
【００３１】
一実施形態において、本発明は、ハンドグリップ部を有するハウジングと、ポンプ及びノズルを含むハウジングに装着されたポンプアセンブリとを有するハウジングを含む手動スプレイガン及び供給ユニットを含み、ポンプは、取り入れ口を有するシリンダと、取り入れ口からノズルを通って、流体をポンプで汲み上げるためのシリンダに装着されたピストンとを含むハウジングに装着されるポンプアセンブリを含む。電気モータはハウジングに装着され、バッテリはハウジングに結合される特別な容器内にある。ハンドグリップに隣接したハウジング面上のスイッチは、モータ及び、したがって、ポンプを作動または操作するために提供され、チューブは、容器からノズルを介する放出のための取り入れ口への溶液の供給のための容器へのハウジングに従属する。
【００３２】
本発明は、他の実施形態において、ネックで囲まれた開口を有する流体容器に接続されていることに適したディスペンサーである。ディスペンサーは、キャップ、ディスペンシングパッド、エネルギー源、及び導管を含む。キャップはディスペンサーが容器に接続される時の開口を開口流体密封に密閉するよう適合する。ディスペンシングヘッドは、キャップに旋回軸的に締め付けられ、流体ポンプ、ポンプを作動させるのに適したモータ、モータを作動させるのに適した引き金、及びポンプの放出端部と流体連通するノズル開口部を含む。エネルギー源は、電気的にモータと接続されて容器の内部に伸びている。導管は、ポンプの吸入端部と流体連通する第１の端部、及び容器内部の第２の端部を含む。ある実施形態では、エネルギー源（例えば、バッテリ、コンデンサなど）は容器の内部に伸びていないか、少しだけ伸びるように、キャップに隣接して配置されてもよい。
【００３３】
本発明は、他の実施形態において、出される物質が入れられた容器に接続するためのディスペンシング取付け装置である。ディスペンシング取付け装置は、モータ、モータを作動させるのに適した作動メカニズム、モータによって駆動されて吸入端部と放出端部を含むポンプ、モータとポンプを囲むハウジング、ポンプの放出端部と流体連通するノズル、そして一般的に柔軟なピックアップチューブを含む。一般的に柔軟なピックアップチューブは、第１の端部及び第２の端部を含む。第１の端部はポンプの吸入端部と流体連通する。第２の端部は固定されておらず、腐食及びさび防止物質で形成された錘を有する。
【００３４】
本発明は、他の実施形態において、流体を出すための噴霧器である。噴霧器は、流体容器及びモータで作動するポンプを含む。モータで作動するポンプは、ポンプシリンダ、流路、及び通気装置（ｖｅｎｔｉｎｇ  ａｒｒａｎｇｅｍｅｎｔ）を含む。流路は、作動可能に容器、ポンプ、及び放出開口と接続される。通気装置は、ポンプシリンダと結合された第１の通気孔及び第２の通気孔を含む。第１の通気孔はシリンダに空気を押し込むのに適し、第２の通気孔は一般的に第１の通気孔と反対方向の容器と流体連通しており、容器に空気と過剰量の流体を許容する。
【００３５】
電動ポンプ噴霧器の１つの潜在的な問題は、噴霧器を操作する人が噴霧器を止めるために作動メカニズムまたは、引き金を放したときに、出された液体または流体がノズルから流れ続けたり、たれたりすることである。１つの理由は、ユーザが引き金を放そうとするときに、ピストンがシリンダに向かって動くことかもしれない。引き金が放されても、すぐに止まらずに駆動機構、即ち、ピストン、ピストンロッドなどに内在する慣性が摩擦及び流体圧力に対して次第に減少する。それにより、操作する人が引き金を放して止めようとした後にも、ポンプシリンダに供給された流体がノズルから流れ続けたり、たれたりするという問題がある。これは、流体ストリームまたはスプレーの全体が意図する表面やターゲットにまかれずに、代りに意図しなかった物質や表面に流体または液体がまかれて被害を引き起こすこともあり、厄介であり、及び／又は不便である。しかも、このような問題は、完全な作動のためにはさらに多くの流体が必要になるため、無駄が多く、費用が多くかかる。電動ポンプ噴霧器のいくつかの使用や適用において、例えば、ユーザが火傷などを避けるために正しい適用を重要とするとき、毒性または腐食性の流体を吹き付ける際に、この滴りやしずくの問題は危険になりうる。
【００３６】
電動噴霧器において、圧縮下でポンプシリンダの流体に気泡があることがある。このような圧縮空気は、ピストンが上死点位置に止まった後にも流体がノズルから流れ続けたり、滴り落ちたりするように、推進用圧力を供給することによりドリップ問題を悪化させる。
【００３７】
本発明及び他の噴霧器のような電動噴霧器において、モータによる電気供給が中断されたり、停止したりした時、ピストンが実際にその回復または吸入ストロークを開始するまでモータの稼動を維持し、シリンダに負圧の発生を維持することが有利である。
【００３８】
一実施形態において、本発明は、噴霧器に「滴り防止」機構を含む。一実施形態において、滴り防止機構は、ユーザが噴霧器を止めるために作動機構または、引き金を放した後に、噴霧器のノズルから流体が流れ続けるのを防止するように作動するスイッチング回路または装置を含む。従って、本発明の長所は、経済的な位置決め、タイミング、または、遅延スイッチング回路を用いることによって、滴りを扱ったり、防いだりすることにある。
【００３９】
一実施形態において、本発明は、第１及び第２の端部または側部（例えば、入口及び出口側）を有するバルブと、第１及び第２の端部または側部の間のバルブを通過する流れを制御し、開閉状態を有する膜に関する。構成要素は、膜が閉鎖状態になるように加圧し、第１の端部または第２の端部のうちの１つの真空圧力は、構成要素の加圧より大きく、膜を開いた状態になるようにする。作動装置は、膜の動きを緩めたり、開始したりするために提供される。
【００４０】
本発明は、他の実施形態において、一方向バルブの開放を開始するための作動装置シストを有する一方向バルブに関する。本発明は、さらに他の実施形態において、容器に作動可能に接続されたバルブアセンブリに関し、バルブアセンブリは容器の空気圧力が実質的に周辺空気圧力である時、一般的に閉鎖状態を有する。そしてバルブアセンブリは、容器の空気圧力が周辺圧力より一般的に低いときに一般的に開かれた状態を有す、容器内への空気の流れを許容する。
【００４１】
本発明は、さらに、真空圧力を緩和するためのバルブアセンブリに関する。バルブアセンブリは、吸入端部、排気端部、吸入端部と排気端部の間のバルブアセンブリを介した流れを制御するためのバルブ膜、バルブ膜を開くために真空圧力が打ち勝つようにバルブ膜に閉鎖バイアス（ｃｌｏｓｅｄ  ｂｉａｓ）を提供するばね部材、及びバルブ膜の開放を開始するための作動装置を含む。本発明に係るバルブアセンブリは、動力噴霧器と共に用いることに限られず、限定されるものではないが、手動噴霧器、ウォーターガンまたは、他の玩具、ペイント噴霧器、または、流体を出すことが真空を作る、流体を含む容器の内部への空気戻りを含む、真空圧力の緩和が要求される他の環境など様々に適用して用いることができる。
【００４２】
本発明は、他の実施形態において、ディスペンサーの容器での空気回復手段を含む新しく有用なパワーディスペンサーに関する。パワーディスペンサーは、容器に生成される真空によって作動する回復空気バルブを含んでもよく。回復空気バルブはバルブの開放を開始するのに用いることができるレバーまたはタブなどを含むことができ、バルブの開放が開始した後に容器に生成された真空は、バルブを開いて真空が最小化されたり、なくなる時までバルブの開放状態を保持してもよい。
【００４３】
一実施形態において、本発明のディスペンサーは、様々な物質のために典型的な容器または、ボトルに交換可能に用いることができる電動液体スプレーポンプを含む。本発明のスプレーポンプは様々な目的で用いることができる。例えば、家で窓クリーナーのような洗浄液がスプレーポンプで吹き付けられたり、出されたりする。ガレージで、自動車に用いるために、様々な洗浄材料が本発明の噴霧器を用いて出されたり、適用されたりしてもよい。庭園で、スプレーポンプを殺虫剤、除草剤を吹き付けたり、出すために用いたり、または植物に水を与えるために用いることができる。これは、家庭や職場、または、例えば、手動でポンピングする噴霧器を現在用いられている様々な場所に広く適用して用いることができる。一実施形態において、本発明のスプレーポンプは、いかなる洗浄ボトルにも合うようにデザインされるが、このようなボトルはユーザがディスペンス物質を満たして使えるように空きボトルを含むことができる。
【００４４】
複数の実施形態が開示され、本発明の他の実施形態は、本発明の実例になる実施形態を示して説明した以下の詳細な説明から該当技術分野から自明である。周知となるように、本発明は様々に明白な側面、本発明の思想及び範囲から逸脱しない全てのもので修正が可能である。従って、図面及び詳細な説明は例示と見なしても制限されない。
【図面の簡単な説明】
【００４５】
【図１】流体を収容するのに適した容器に装着される本発明の手動動力噴霧器の安全プロテクターのない側の正面図である。
【図２】噴霧器が容器に装着されていない状態の容器と手動動力噴霧器の安全ロック側の正面図である。
【図３】図２のＡＡ線に沿って切断した安全ロックがオフ位置の平面図である。
【図４】ポンプ機構を示すためにハウジングの安全ロック側を除去し、バッテリチューブをキャップに貫通させるために用いた結合を示すためにキャップが部分的に切り離された噴霧器の安全ロック側の正面図である。
【図４Ａ】図４に示すポンプ機構のピストンの実施形態を示す。
【図５】動力噴霧器の分解斜視図である。
【図６】ノズルアセンブリの垂直断面である。
【図７】ノズルキャップの内部の斜視図である。
【図８】ノズルバルブの放出端部の斜視図である。
【図９】ノズルアセンブリの垂直断面である。
【図１０】ノズルバルブの放出端部の斜視図である。
【図１１】ノズルキャップの内部の正面図である。
【図１２】柔軟吸入チューブの端部に装着される球形の錘の正面図である。
【図１３】柔軟な吸入チューブの端部に装着される球形の錘の斜視図である。
【図１４】本発明の噴霧器に用いられる滴り防止スイッチの一実施形態を示す概念図である。
【図１５Ａ】図１４のスイッチの２つの作動位置を示す概念図である。
【図１５Ｂ】図１４のスイッチの２つの作動位置を示す概念図である。
【図１６】図１４に示すタイプのスイッチング装置が組み込まれた本発明の一実施形態を示す。
【図１７】本発明に係る噴霧器のある実施形態に組み込まれたブレーキ回路の概念図である。
【図１８】本発明の噴霧器の一実施形態を示す正面図であり、組み込まれたモータブレーキ、制御チップ及びインジケータを示す。
【図１９】本発明の噴霧器の一実施形態を示正面図であり、組み込まれた抵抗式作動メカニズムまたは引き金を示す。
【図２０】本発明の他の実施形態を示す。
【図２１】図２０に示す実施形態の具体的な部品を示す。
【図２２】代表的に、本発明の他の実施形態を示す平面図である。
【図２３】図２２の実施形態の側面図である。
【図２４】図２２の実施形態の他の側面図である。
【図２５】図２２の実施形態に係る本発明の模範的な実施形態の側面図である。
【図２５Ａ】図２５の実施形態の代表的な側面図である。
【図２５Ｂ】本発明の一実施形態に係る蠕動ポンプの背景図である。
【図２５Ｃ】本発明に係る蠕動ポンプを含む噴霧器の他の実施形態である。
【図２５Ｄ】本発明に係る蠕動ポンプを含む噴霧器の他の実施形態の上面、側面、切断正面図である。
【図２５Ｅ】本発明に係る蠕動ポンプを含む噴霧器のまた他の実施形態である。
【図２６】図２５の実施形態に係る本発明の模範的なプロトタイプを示す図である。
【図２７】本発明の他の実施形態を示す正面図である。
【図２８】いくつかの作動または、使用状態を示す図２７の実施形態の側面図である。
【図２９】図２７の実施形態の組立図である。
【図３０】本発明の他の実施形態を示す。
【図３１Ａ】本発明の他の実施形態を示す。
【図３１Ｂ】図３１Ａの実施形態に係る本発明の側面図を示す。
【図３２】本発明の他の実施形態を示す。
【図３３Ａ】本発明の他の実施形態を示す。
【図３３Ｂ】図３３Ａの実施形態に係る他の側面を示す。
【図３４Ａ】図３３Ａの実施形態に係る他の側面を示す。
【図３４Ｂ】図３３Ａの実施形態に係る他の側面を示す。
【図３５】本発明の他の実施形態を示す。
【図３６Ａ】分離したバッテリ室の一つの位置を示す本発明の一実施形態に係る上面及び側面断面図である。
【図３６Ｂ】本発明の分離したバッテリ室の正面上面断面図及び正面図である。
【図３７Ａ】分離したバッテリ室の一つの位置を示す本発明の一実施形態の他の断面図を示す。
【図３７Ｂ】本発明により用いられるデュアルレシプロポンプの断面図を示す。
【図３８】本発明の一実施形態に係るロックボタン及び閉鎖バルブの断面図である。
【図３９】本発明の一実施形態に係るトラップバルブの断面図である。
【図４０】トラップバルブの一位置を示す本発明の一実施形態の断面図である。
【図４１】本発明に係るバルブアセンブリの上面、側面、正面、後面そして側断面図を含む。
【図４２】本発明に係る空気流れバルブアセンブリを含む手動動力電動機の一実施形態の部分側断面図である。
【図４３】本発明に係る空気流れバルブアセンブリを含む手動動力電動機の他の実施形態の部分側断面図である。
【発明を実施するための形態】
【００４６】
本発明は、流体が入れられた容器から流体をポンピングするための電動手段を含む新しく有用な手動動力噴霧器である。本詳細な説明から分かるように、本発明の動力噴霧器は、標準の手動噴霧器の大きさ、外観、及び感じが非常に似た形態を有する。従って、本発明の電動噴霧器は握りやすくて従来の電動噴霧器に比べて使用するにあまり疲労を感じない。
【００４７】
本発明は、流れの制御、開始、そして停止のための新しく有用な流れ制御、バルブ、及び装置に関し、このような制御、バルブ、及び装置を製造したり使用したりする方法に関する。より具体的に、本発明は一方向に流れを制御、開始及び／または停止する制御、バルブ、及び装置に関し、さらに具体的に作動装置アシストを含む一方向バルブに関する。本発明は、新しく有用なディスペンシングシステムまたは噴霧器システム、噴霧器、動力噴霧器、手動噴霧器、ウォーターガンまたは、他の玩具、ペイント噴霧器、または、これと同様に流体や空気を装置の容器に戻すための手段を含むものに関する。特に、ディスペンシング装置は、容器に形成された真空によって作動する回復空気バルブを含んでもよい。また、他の実施形態において、空気回復バルブは、バルブの開放を開始するのに用いることができるレバー、タブなどの作動装置を含んでもよく、バルブの開放が開始した後に容器に生成された真空はバルブを開いて真空度が最小化するか、なくなる時までバルブの開放状態を保ってもよい。本発明のディスペンシング装置は容器から流体が除去される間、または容器から流体が除去された直後に容器における空気回復手段をさらに含むことができ、これによって容器内の空気圧力は実質的に周辺空気圧力に回復する。
【００４８】
図１は、容器４（お手洗い洗浄剤、窓洗浄剤、ＡＲＭＯＲ  ＡＬＬ（登録商標）、殺菌剤、除草剤、殺虫剤、水などの一般家庭用、ガレージ用または、庭園用液体の容器）に装着される本発明の手動動力噴霧器２の安全プロテクターがない側の正面図である。図１に示すように、動力噴霧器２は、スプレーヘッド３、キャップ１４、バッテリチューブ１６、及び錘２０が吊り下げられた柔軟な吸入チューブ１８を含む。噴霧器２が容器４に装着される時、スプレーヘッド３及びキャップ１４は、容器４の外部に位置し、一方、バッテリチューブ１６、柔軟な吸入チューブ１８、及び錘２０は、容器４の内部に位置する。
【００４９】
図２は、噴霧器２が容器４に装着されていない状態の容器４と手動動力噴霧器２の安全ロック側の正面図である。図２に示すように、スプレーヘッド３は、ハウジング６、ノズルキャップ８、引き金１０、及び安全ロック１２を含む。
【００５０】
図１及び図２から分かるように、ハウジング６は、人さし指が引き金１０を引く位置にある間、親指と人さし指との間の手の部分が輪郭を付けられた部分Ｘに接するように人間工学的に輪郭付けられる。ハウジング６は、噴霧器２のスプレーメカニズムを含む。
【００５１】
図２に示すように、容器４は、雄ねじのネック２２によって囲まれた開口を含む。図１に示すように、キャップ１４はネック２２の雄ねじ一対になる雌ねじを介して噴霧器２を容器４に接続する。キャップ１４は、一般的な家庭用、ガレージ用、そして庭園用液体を入れるのに用いられるほとんどの容器４に適用することができる。しかし、一実施形態においては、１つまたは複数のアダプタを噴霧器２に提供してもよく、ほとんどの容器４のネック２２に噴霧器２を容易に接続することができる。
【００５２】
一実施形態において、スプレーヘッド３は、旋回軸的にキャップ１４に接続することができ、これによってスプレーヘッド３はネック２２の中心点を通過する垂直軸に対して３６０度自由に回転してもよい。これは、容器のネック２２に噴霧器２の接続を簡単にする。
【００５３】
引き金１０は、噴霧器２を作動するのに用いられる。図１及び図２に示すように、一実施形態によれば、動力噴霧器２は引き金１０を部分的にハウジング６の中に移動することによって作動する。
【００５４】
図２に示すように、一実施形態において、安全ロック１２は、「ＯＦＦ」と表示された位置と「ＯＮ」と表示された位置との間でハウジング６に対して水平に移動することができる。図２のＡＡ線に沿って切断した安全ロックがオフ位置の平面図である図３に示すように、安全ロック１２をオン位置より引き金１０により近いオフ位置にすると、安全ロック１２は引き金１０がハウジング６の内部に入るのを防止する。従って、安全ロック１２がオフ位置にあれば、動力噴霧器２は引き金１２を介して作動することができない。反対に、安全ロック１２がオン位置にあれば、引き金１０は動力噴霧器２を作動させるためにハウジング６の内部に入ることができる。
【００５５】
図３に示すように、安全ロック１２は、ねじ２７によってブロック２９に取付けられたスライドボタン２５を含む。ハウジング６はボタン２５とブロック２９との間に挟まっており、ボタン２５がブロック２９に結合するように伸びたスロット３１を含む。スロット３１は、安全ロック１２が引き金１０のエンゲージメント（ｅｎｇａｇｅｍｅｎｔ）の内と外にスライドするのを許容するために十分に長い。ブロック２９はハウジング６の凹部３５と対を成す段差３３を含む。段差３３と凹部３５は安全ロック１２がオフ位置で確実に保たれるようにし、安全ロック１２が噛み合っていることを知らせるクリック音を提供する。
【００５６】
他の実施形態において、噴霧器２は、噴霧器２から意図せずに起きる放出を防ぐために他の安全装置を採用してもよい。このような安全装置は噴霧器の引き金１０をロックしたり、ロック解除したりする他の機械的な手段、噴霧器２を作動させる電気回路１５の完了を防止する手段、及び／または、ノズルキャップ８上に配置するための子供に安全な安全キャップを含む。
【００５７】
図１及び図２に示すように、ノズルキャップ８は、ハウジング６に枢軸のように取付けて、流体のスプレータイプのアプリケーションとストリームタイプのアプリケーションとの間でユーザが選択できるようにする。一実施形態において、ノズルキャップ８は４つの側面を含み、それぞれの側面は「スプレー」または「ストリーム」などの文字、または他の表示があってもよい。ある実施形態においては、文字または表示、例えば、「ＯＦＦ」などの文字を側面の１つに用いてもよい。ストリームタイプのアプリケーション（ノズルキャップ８からの液体の流れが強く、一般的に凝集したストリーム）を選択するために、「ストリーム」と表示されたノズルキャップ８の面が上に向く時までノズルキャップ８を回転する。同様に、スプレータイプアプリケーション（ノズルキャップ８からの液体の流れが一般的な細かな霧状のもの）を選択するために、「スプレー」と表示されたノズルキャップ８の面が上に向くまでノズルキャップ８を回転する。オフセッティングを含む実施形態で、「ＯＦＦ」と表示されたノズルキャップ８の面が上に向く時までノズルキャップ８を回転すれば、ノズルキャップ８は閉じて、ノズルキャップ８からはそれ以上は流れ出ない。
【００５８】
図１に示すように、噴霧器２が容器４に装着されると、バッテリチューブ１６は、キャップ１４から容器４まで伸びる。一実施形態において、図２に示すように、バッテリチューブ１６は放電した時に交換することができる３つのＡＡＡバッテリ２４を含む。他の実施形態においては、バッテリチューブ１６はさらに多いか少ない数のバッテリ２４を含んでもよい。また、バッテリ２４は、ＡＡなどの他のサイズのバッテリであってもよい。バッテリ２４の交換のために、バッテリチューブ１６は噴霧器２からねじ方式で取り除くことができる。
【００５９】
一実施形態において、図１及び図２に示す使い捨てバッテリ２４は、バッテリチューブ１６に永久に装着される充電用バッテリに交換することもできる。充電用バッテリが放電すれば、バッテリチューブ１６は噴霧器２からねじ方式で取り除かれ、充電のために充電器に挿入される。ある実施形態においては、充電は誘導式（ｉｎｄｕｃｔｉｖｅｌｙ）で達成することができる。
【００６０】
代替的な実施形態において、図３６及び図３７に示すように、孤立または分離したバッテリ区画８０２は、噴霧器ハウジング６の後方に含まれて、ポンプとモータから離れて一般的に下方にある。従って、バッテリ区画及びそこに収容されたバッテリは、典型的にハウジングの他の噴霧器部品と分離して、分離したバッテリ区画８０２は並んで配置された２つのＡＡバッテリ２４を含む。他の実施形態において、分離したバッテリ区画８０２はさらに多いか少ない数のバッテリ２４を含んでもよく、またはＡＡＡなどの他のサイズのバッテリを含んでもよい。バッテリ２４は、ハウジング６内の他の構成要素から隔離し、分離する。分離したバッテリ区画８０２は、ハウジング６の後方に位置する除去可能なカバー８０４を介して装着することができる。本発明の一実施形態によれば、取り除き可能なカバー８０４は、モータを作動する電気回路部を完成させる。
【００６１】
一実施形態において、噴霧器２が使い捨てである時、図１及び図２に示した使い捨てバッテリ２４は、コンデンサ及びコイルシステムまたは、永久に装着される非充電式バッテリで代替することができる。従って、コンデンサまたは非充電式バッテリが消耗すれば、噴霧器２全体を廃棄する。ある実施形態においては、図２にキャップ１４の近辺にコンデンサ２４’が描写され、図に示すように、エネルギー源は、キャップ１４に近接して位置してもよい。
【００６２】
容器４内またはキャップ１４に近接するように噴霧器エネルギー源（バッテリ２４）を位置させることは、少なくとも２つの理由から有利である。第１に、噴霧器２はサイズが大きくて扱い難いハウジング６なしで、寿命が長くてパワフルなエネルギー源を有することができる。第２に、容器内にバッテリ２４を位置させることで噴霧器の重心を低くする。これは、噴霧器２に装着された容器４が表面に置かれた時に容易にひっくり返らないようにする。また、噴霧器２のグリップ位置の下にバッテリ２４の重さを置くことがバッテリ２４の重さをグリップ位置の上（ハウジング６の上部）に置くのと比べて、噴霧器２の使用による疲労を減らす。他の利点は、バッテリまたはバッテリハウジングに接触する容器が容器の内容物と接触する位置にバッテリを置くことでバッテリを冷えた状態に保つ。熱の除去はバッテリの寿命を延長することに有利に働く。
【００６３】
選択的にハウジング６に含まれる分離したバッテリ区画８０２の内部に噴霧器のエネルギー源（バッテリ２４）を位置させることは、いくつかの理由から有利である。第１に、容器４を取付けない時、噴霧器２は体積が小さいために扱い易い。従って、一つの容器４から他の容器に移すことが容易にできる。第２に、分離したバッテリ区画８０２を取り除き可能なカバー８０４を介して装着するため、バッテリ２４は比較的容易にいつでも交換することができる。これは、バッテリ区画８０２を装着するために噴霧器２を容器４から取り除く必要がない。分離したバッテリ区画８０２の他の利点は、引き金１０に近接するとことである。完全な電気回路を形成するために、ワイヤが少ないまたはワイヤがないことが要求され、よって電圧降下の少ないより効果的な回路が形成される。
【００６４】
図３６Ａに示すように、図４に示し、以降説明する容器４のネックに位置するエネルギー源に結合される柔軟なワイヤは、固い電気フレームワークに置換することができる。例えば、導電金属などの導電物質で製造される接触ピン８０６は、引き金１０に動力源を接続するのに必要なワイヤの代わりをし、分離したバッテリ区画８０２から引き金１０の方向に突出している。引き金が引かれた時、引き金１０に取付けられた、及び／または、一部の固い電気接触部８１０が分離したバッテリ区画８０２から突出した接触ピン８０６と接触する。結果として、直接的な電気接続、すなわち強固な接続と強固な接続が動力源と引き金１０との間に提供される。このような配置によって提供される１つの利点は、より効果的な回路であって、それにより少ない電圧降下が得られる。より効果的な回路からバッテリの長い寿命が得られ、一般的に噴霧器がより長持ちする。回路のショート、電気的な機能不良、バッテリの放電と漏れによる噴霧器の部品の汚染、断線、出されたり、噴射されたりした材料や物質による電気的部品及び接続の汚染や汚れの可能性が少ない。電圧維持が最適化される。このような長所やその他の長所は、電気的配列及び／または分離したバッテリ区画に起因する。
【００６５】
図１に示すように、柔軟な吸入チューブ１８は、ハウジング６に含まれる吹き付け機構と流体連通する放出端部とを含み、錘２０の内部が終点となって、容器４内に含まれる流体２６と流体連通する吸入端部を含む。錘が装着された柔軟な吸入チューブ１８は、噴霧器２及び噴霧器が取付けられた容器４の配置に関わらず噴霧器を作動できるようにするために有利である。例えば、噴霧器２が図１に示すように真っ直ぐに立った状態で作動する時、錘２０は柔軟チューブ１８の吸入端部が流体２６の底に沈むようにする。同様に、噴霧器２を逆さにした状態で作動して、流体２６が容器４のネック２２の近辺に集まる時、錘２０は柔軟チューブ１８の吸入端部が流体２６の底（キャップ１４の近く）に沈むようにする。従って、容器４がどのように置かれようとも、錘２０は柔軟チューブ１８の吸入端部が容器４の流体２６と流体連通するようにする。
【００６６】
ハウジング６に含まれるポンプ機構及び動力噴霧器２の全体的な作動のより詳しい説明のために、図４及び図５を参照する。図４は、ハウジング６の安全ロック側を除いたポンプ機構示し、キャップ１４が部分的に切断されて、バッテリチューブとキャップがねじ式で結合される継手２８を示す状態であり、噴霧器２の安全ロック側の正面図である。図５は、動力噴霧器２の分解斜視図である。
【００６７】
図４及び図５に示すように、ポンプ機構は、ハウジング６の内部に含まれ、モータ３０、トランスミッション３２、及びポンプ３４を含む。モータ３０は、ドライブギヤ３６を含み、トランスミッション３２は３つのギヤ３８ａ、３８ｂ、３８ｃの一組、カム４０、及びカムフォロアシャフト４２（ｃａｍ  ｆｏｌｌｏｗｅｒ  ｓｈａｆｔ）を含む。ポンプ３４は、ポンプ３４のシリンダ４６内で直線的に動くことのできるピストン４４を含む。図４ａは、ピストンがシリンダ４６をクリア、パージ（ｐｕｒｇｅ）、または「掃除（ｓｗｅｅｐ）」するのを助けるフランジ４５、チップ４７を含むことをより詳細に示す。フランジは、「Ｏリング」のように作動してシリンダを塞ぐのを助け、出される流体または、液体を吸い上げて押し出すポンプ吸引を最大にすることによって内容物のポンプで汲み上げることを容易にする。フランジはまた、空気圧力の交換と液体または流体の超過量を容器に戻すのを助け、それによって容器の漏れ及び真空を防止する。一般的なリング状と円周状の２つのフランジを示したが、他の実施形態、例えば、他の形または他の数のフランジを用いることも可能である。また、フランジは、特にチップを一般的に柔軟にしてピストンと一体に形成したり、または、作動可能にピストンに備えたり接続されたリングのように個別の構成を有してもよい。図４、４ａ及び５は、往復運動をするピストンタイプのポンプ３４を示すが、デュアルレシプロポンプ、ギヤポンプ、蠕動ポンプ（ｐｅｒｉｓｔａｌｔｉｃ  ｐｕｍｐ）、または、他の適したポンピングアセンブリがピストンポンプ３４を代替することは、本発明の思想を逸脱することのない技術分野であると容易に理解することができる。当業者は、図３７Ｂに示すようなデュアルレシプロポンプ８０８がさらに継続的は流れ及び／またはポンプで汲み上げられた材料の分散または発散を達成するために本発明に用いることが有利であると認識するであろう。選択されたタイプ及び容量のポンプに適したいかなる導管及び／または流体継手を用いてもよい。
【００６８】
図１４〜１６を参照すると、本発明のある実施形態は、スイッチ機構１４０を含む。このようなスイッチ機構１４０は、タイミング、位置決め、またはディレイ回路として考慮してもよい。スイッチン機構は、シリンダ４６のクリーニング、パージ、またはスウィーピングの向上を提供し、及び／または、ユーザが引き金を解放した後に噴霧器のノズルから流れ続けたり、滴りや漏れたりすることから、出される流体を防ぐのに役立つ。従って、スイッチ機構４０は、電動ポンプ噴霧器の実施形態に「滴り防止」の特性を提供する。図１４及び図１５を参考にすれば、一実施形態でスイッチ機構１４０は、カム１４２、ばね１４４、電気接点１４６、適切なワイヤ１４８を含む。２つのワイヤ１４８が示されているが、必要な数だけ使用可能である。ある実施形態では、スイッチ１４０は、一般的に周知のリーフタイプスイッチであってもよいが、類似の機能を提供するために他のある適切な装置または他のある部品を用いてもよい。
【００６９】
先に言及したスイッチ部品は、シリンダ４６にピストン４４の位置を制御するために配置される。実際に、スイッチ機構１４０は、ピストン４４が所望する位置まで行くように、モータによる電気供給を保ち（たとえ、引き金が解放されて、広く「Ａ」と表示される１次回路または引き金回路が壊れても）２次作動回路（図１４に広く「Ｂ」と表示された部分）を形成する。一実施形態においては、カム１４２はギヤアセンブリに、または、ギヤアセンブリ内部に接続される（もちろん、カムは分離したハウジング、ピストン作動アームまたは、他の適した場所に位置してもよい）。カム１４２は、スイッチ機構１４０に接するように位置して形成され、操作する人が引き金を作動する時に、スイッチン機構１４０によって提供される２次回路は、ピストン４４が回復ストロークを開始するまで切れている。この時、カム１４２は、その扁平な部位１４３がスイッチに向かって回って位置して、ばね１４４の加圧によってスイッチが開かれるようにして、モータでのすべての動力を切る。従って、ピストン４４のいかなる残留慣性及び／または、緩やかな減速が回復ストロークに発生し、これによってシリンダをさらに満たすことをなくしたり、実質的に減らしたりする。
【００７０】
図１５は、スイッチ機構１４０の一実施形態の２つの状態を示すが、換言すればスイッチ機構がオンの状態（図１５ａ）及びスイッチ機構がオフの状態（図１５ｂ）を示す。図１６はスイッチ機構が本発明の噴霧器のような噴霧器に用いられた時の一配置を示す。
【００７１】
図１７は、特に小さいＤＣモータなどの電気モータブレーキを提供するのに用いることができる回路１６０を示す。これは、リードエレクトロニクス（Ｒｅｅｄ  Ｅｌｅｃｔｒｏｎｉｃｓ）によって説明される。本発明で、図１８の１６０に示すように、電気回路１６０は、滴り防止、クリア、パージ、及びスウィップ特性を向上させるのに用いることができる。上述したように、電動噴霧器の１つの考えられる困難は、作動装置が解放された後にもピストンが動き得るということである。しかも、モータ、またその初速度及び慣性によって引き金が解放された後に動く傾向がある。図１７に示す回路は、絶対的な正確速度と停止位置を必要とせず、向上した減速で利益を得ることができるアプリケーション及びシステムに効果がある。
【００７２】
一般に、図１７に示す回路は、２つの部分を含む。Ｑ１は、スイッチの役割をする。Ｄ２は、誘導性のサージ電圧からＱ２を保護する。抵抗Ｒ２は、スイッチＳ１が開かれている限りＱ１をオフに保持する。Ｒ１は、Ｓ１が閉じられる時にＱ１のベース電流を制限する。Ｓ１は、手動式スイッチ、リレー接点、オプトカプラ、または、トランジスタであってもよい。Ｓ１が閉じれば、Ｑ１がオンになりモータが回る。
【００７３】
Ｑ２、Ｄ１、及びＲ３は、ブレーキ回路を含む。この回路は、ＴＴＬゲートの出力回路と似た回路である。Ｄ３は、誘導性サージ電圧からＱ２を保護する。Ｓ１が閉じれば、Ｑ１はオンになり、Ａ点の電圧が上がる（Ｖｃｃの近く）。電圧降下は、Ｄ１であるため、Ｑ２のベース電圧はエミッタの電圧より高い。モータが回る間、Ｓ１が開けば、Ｑ１はオフになる。Ａポイントの電圧は０に近い。自己誘導されるモータの逆起電力（ｂａｃｋ−ＥＭＦ）電圧は、エミッタがベースより正（ｐｏｓｉｔｉｖｅ）のとき伝導が起きるＱ２での短絡回路を示す。モータを短絡させることは、その制動（ｂｒａｋｉｎｇ）を引き起こす。速度やモータを高めるほど、制動効果はより強くなる。
【００７４】
図１７に示すブレーキ回路、またはそのような機能は、図１４〜１６を参照して説明するように滴り防止スイッチメカニズム１４０に結合して用いることができる。また、これは滴り防止スイッチメカニズムを含むか含まない、及び／または、クリア、パージ、または、スウィップを助ける機構、噴霧器を止めるための作動装置、または引き金が解放された後に出される予期しない流体の滴り、または放出を防ぐための機構を含むか含まない本発明に係る動力噴霧器のいかなる実施形態にも用いることができる。
【００７５】
図４及び図５に示すように、ドライブギヤ３６は、ギヤ３８ａに動力を伝達し、ギヤ３８ａはギヤ３８ｂに動力を伝達し、ギヤ３８ｂはギヤ３８ｃに動力を伝達する。ギヤ３８ｃは、カム４０を回転させ、これはカムフォロアシャフト４２が相互に直線的に動くようにする。カムフォロアシャフト４２の直線的な動きは、ピストン４４がポンプ３４のシリンダ４６内で相互に直線的に動くようにする。
【００７６】
図４及び図５に示すように、ハウジング６のベースは、ディスク５０を受け入れる溝つきのネック４８を含む。ディスク５０は、キャップ１４の内部に旋回軸的に装着された継手２８の上部に固定される。図５に示すように、キャップ１４は、キャップ１４がねじ式に固定された時に容器４のネック２２の開口を塞ぐことのできる防水リング５４を含む。
【００７７】
図５に示すように、バッテリチューブ１６の上部は、継手２８内で雌ねじとねじ方式で結合するように複数の雄ねじ５６を含む。バッテリチューブ１６が継手２８にねじ式固定されれば、シーリングリング５８は、容器４からバッテリチューブ１６に流体２６が流れるのを防ぐ。
【００７８】
図４に示すように、ネガティブコンダクタ６０は、底のバッテリ２４の陰極と電気的な接触をする。ネガティブコンダクタ６０は、バッテリチューブ１６の長さが継手２８の底内の表面に装着されたネガティブコンダクタリング６４と電気的に接触するようにする第１のマイナス導電通路６２に電気的に接続される。ネガティブコンダクタリング６４は、モータ３０に第１の電気的リードを導く第２のマイナス導電通路６６と電気的な接触をする。
【００７９】
図４に示すように、継手２８は、バッテリチューブ１６の上側バッテリ２４の陽極に電気的に接触するポジティブコンダクタ６８を含む。ポジティブコンダクタ６８は、引き金１０近くの導電スリーブ７０に電気的に接続される第１のプラス導電通路６９に電気的に接続される。導電サドル７２（ｃｏｎｄｕｃｔｉｖｅ  ｓａｄｄｌｅ）は、引き金１０上に装着されて引き金１０がユーザによって引かれた時に導電スリーブ７０と一対になるように位置して構成される。
【００８０】
図４に示すように、第２ポジティブ導電通路７４は、導電サドル７２と電気的に接続されて、第２の電気的リードをモータ３０に導く。引き金１０が引かれると、導電サドル７２及び導電スリーブ７０は電気的接触をする。これはエネルギー源（バッテリ２４）とモータ３０との間の電気的接続を成し、噴霧器２が機能するようにする。一実施形態において、第２のプラス導電通路７４部分は、引き金１０の旋回軸点７６の周囲に形成されて引き金１０を前に偏向させるばねに提供される。
【００８１】
図４に示すように、ピストン４４がノズルキャップ８に向かって動く時、空気は、第１の空気チェックバルブ７８（一実施形態は、ばねのあるボール型チェックバルブ）を介してシリンダ４６の後方セクション４６ａに引く。一実施形態において、第１の空気チェックバルブ７８は、シリンダ４６の上部近辺に位置する。バックストローク状態で、ピストン４４がノズルキャップ８から遠ざかるように動けば、空気はシリンダ４６の後方セクション４６ａの外に強制移動して空気チューブ８０に行き、第２の空気チェックバルブ８２（一実施形態には、ばねのあるボール型チェックバルブ）を通過して、継手２８を介して形成された空気チャネル８４を通過して容器４に移動し、噴霧器２が作動した時に真空ロック（ｖａｃｕｕｍ  ｌｏｃｋ）を防ぐ。一実施形態において、第２の空気チェックバルブ８２は、概ねに第１の空気チェックバルブ７８と反対側のシリンダ４６の底の近辺に位置する。このような直線または、直列配置は、シリンダ４６の後方セクション４６ａに溜まるいかなる水分もパージ、フラッシュ（ｆｌｕｓｈｅｄ）、スウィップ（ｓｗｅｐｔ）及び／または、後方セクション４６ａから容器４に排出する（ｄｒａｉｎｅｄ）ことを可能にする。このようなパージ（ｐｕｒｇｉｎｇ）は、フランジ４５によって強化される。
【００８２】
図４に示すように、ピストン４４がノズルキャップ８から遠ざかるように動けば、流体２６は、柔軟な吸入チューブ１８の吸入開口部８６に引っ張られ、柔軟な吸入チューブ１８（継手２８を通過する）を通過して、流体チェックバルブ８８（一実施形態には、ばねのあるボール型チェックバルブ）を通過して、シリンダ４６の前方部４６ｂに移動する。一実施形態において、流体チェックバルブ８８は、シリンダ４６の底近辺に位置する。ピストン４４がノズルキャップ８に向かって動けば、流体２６はシリンダ４６の前方部４６ｂの外へ強制移動し、ノズルアセンブリ９０によって押し出される。
【００８３】
図５に示すように、ノズルアセンブリ９０は、ノズルチューブ１００、ノズルバルブ１０２及びノズルキャップ８を含む。ノズルアセンブリ９０の垂直断面の図６に示すように、ノズルチューブ１００はノズル流路１１０、回転表面壁１１１、及びノズルバルブ１０２が装着されるピン１１２を含む。ノズルキャップ８は回転表面壁１１１に対して旋回軸的に装着され、回転表面壁１１１はノズルキャップ８が所定の位置に保持されるようにノズルキャップ８の溝と一対になって対応する少なくとも１つの保持リッジ１１３（ｒｅｔａｉｎｉｎｇ  ｒｉｄｇｅ）を含む。
【００８４】
図６に示され、ノズルキャップ８の内部の斜視図である図７により明確に示すように、ノズルキャップ８は、ノズル流路１１０と流体連通する少なくとも１つのキャップ流路１１４を含む。ノズルキャップ８は、また放出開口部１１６を囲む陥凹部１１５を含む。
【００８５】
図６に示され、ノズルバルブ１０２の放出端部の斜視図である図８により明確に示すように、ノズルバルブ１０２は、ノズル端部の中心に円形のリセスセンター１２４を導く放射状の流路１２０及び接線流路１２２を含む。ノズルキャップ８の円形のリセスセンター１２４及び陥凹部１１５は、組合せて渦巻形の空洞（ｓｗｉｒｌ  ｃｈａｍｂｅｒ）を形成する。各接線流路１２２及び各放射形状のチャネル流路１２０は、ノズルバルブ１０２の円筒型の側面１２８に窪みを形成した導管流路１２６を有する。
【００８６】
図６に示すように、ノズルキャップ８を回転表面壁１１１に対して回転してノズルキャップ８上の「ストリーム」表示を上向きに位置させれば、キャップ流路１１４は、放射形状の流路１２０と接続された導管流路１２６と流体連通するように位置する。従って、噴霧器２が作動する時、液体はノズル流路１１０、キャップ流路１１４、導管流路１２６放射形状のチャネル流路１２０、渦巻形の空洞１１５、１２４を介して開口部１１６の外部にストリームタイプで流出する。
【００８７】
同様に、ノズルキャップ８を回転表面壁１１１に対して回転してノズルキャップ８上の「スプレー」表示を上向きに位置させると、キャップ流路１１４は、接線流路１２２と接続された導管流路１２６と流体連通するように位置する。従って、噴霧器２が作動する時、液体はノズル流路１１０、キャップ流路１１４、導管流路１２６、接線流路１２２、渦巻形の空洞１１５、１２４を介して開口部１１６の外部にスプレータイプで流出する。
【００８８】
ある実施形態では、ノズルキャップ８を位置選定のために回転表面壁１１１に対して回転する時、導管流路１２６は、キャップ流路１１４と流体連通するように置かれない。その結果、液体はノズルアセンブリ９０を介して流れない。
【００８９】
ノズルアセンブリ９０の他の構造をノズルアセンブリ９０の垂直断面である図９に示す。図９に示され、ノズルバルブ１０２の放出端部の斜視図である図１０により明確に示すように、ノズルバルブ１０２は、ノズルバルブ１０２の円筒型の側面１２８に凹部を作られた導管流路１２６を含む。導管流路１２６は、ノズルバルブ１２６のベース近辺からノズルバルブ１０２の端部１５０まで、一般的に均一に平面的である。
【００９０】
図９に示され、ノズルキャップ８の内部の正面図である図１１により明確に示すように、ノズルキャップ８は、少なくとも１つのノズルキャップ８の表面内部に窪みを形成した放射形状の流路２２０を含む。ノズルキャップ８は、またノズルキャップ８の表面内部に窪みを形成した少なくとも１つの接線流路２２２を含む。それぞれの放射形状の流路２２０、接線流路２２２は、ノズルキャップ８の内部表面の中心円形の陥凹部２１５に伸びる。円形の陥凹部２１５は、放出開口部１１６を囲む。円形の陥凹部２１５は、渦巻形の空洞の役割をする。
【００９１】
一実施形態において、図９に示すように、円形の陥凹部２１５は、放出開口部１１６に向かってデーパ状になり（ｔａｐｅｒｓ）、結果的にＹ形状の断面を有する。他の実施形態において、円形の陥凹部２１５は放出開口部１１６に向かってテーパ状にならず、放出開口部１１６の軸に垂直の表面を含む。言い換えれば、円形の陥凹部２１５は図６に示すようにＴ形状の断面を有する。
【００９２】
図９に示すように、ノズルキャップ８を回転表面壁１１１に対して回転し、ノズルキャップ８上の「ストリーム」表示を上向きに位置させると、放射形状の流路２２０は、導管流路１２６に流体連通されるように位置する。従って、噴霧器２が作動する時、液体はノズル流路１１０、導管流路１２６、放射形状の流路２２０、渦巻形の空洞２１５を介して開口部１１６の外部にストリームタイプで流出する。
【００９３】
同様に、ノズルキャップ８を回転表面壁１１１に対して回転してノズルキャップ８上の「スプレー」表示を上向きに位置させると、接線流路２２２は、導管流路１２６と流体連通されるように位置する。従って、噴霧器２が作動する時、液体はノズル流路１１０、導管流路１２６、接線流路２２２、渦巻形の空洞２１５を介して開口部１１６の外部にスプレータイプで流出する。
【００９４】
それぞれ、柔軟な吸入チューブ１８の端部に装着される球形の錘２０の正面図及び斜視図である図１２及び図１３に示すように、吸入開口部８６は、球形の錘２０に装着されたディスク９２の中心に窪みを形成した。ディスク９２は、ディスク９２の外周から吸入開口部８６まで形成された流路９４を含み、それによって吸入開口部８６を越えて伸びる突出部９６を形成する。突出部９６及び流路９４は、吸入開口部８６が容器４、またはキャップ１４の表面によって詰まるのを防ぐために組合される。
【００９５】
一実施形態において、錘２０は、非常に高密度のポリマー球体である。他の実施形態において、錘２０は、セラミック、ガラス、ゴム、ダイカスト金属、真鍮などであってもよい。選択された材料に関係なく、材料は容器４に入れられた液体腐食効果に対する耐性がなければならならず、液体に沈むことができるほどに高密度でなければならない。錘２０は容器４が真直ぐに立っていても、横になっていても、逆さまにされても関係なく、容器４に入れられた流体２６の底の大部分に柔軟なチューブ１８の吸入開口部８６を止めることが出来るほどに十分に重い大きさである。
【００９６】
一実施形態において、柔軟な吸入チューブ１８は、非常に柔軟なシリコーンゴムである。他の実施形態において、柔軟な吸入チューブ１８は、他の柔軟なポリマーである。柔軟吸入チューブ１８の長さは容器の底に達するほど十分に長いが、自ら絡まるほどではない。
【００９７】
図１８は、本発明の噴霧器の一実施形態の正面図であり、図１７に示すタイプの結合されたモータブレーキ１６０を示す。図１８は、適したマイクロプロセッサーの制御チップまたはＰＣＢ基板１６２の結合をさらに示す。このようなコントローラ１６２は、本発明に係る噴霧器の作動及び機能を検知、記憶、制御、及び調節するようにプログラムされたり及び／または用いたりすることができる。図１８は、表示またはディスプレイ機構１６４の結合をさらに示している。表示またはディスプレイ機構１６４は、適当なＬＥＤの形態（図のように）、電球、ＬＣＤ、などの視覚的であってもよく、または、聴覚的または、触覚的であってもよい。このような表示１６４は、例えば、バッテリ不足を示したり、または売場で注意を引く装置として用いたりしてもよい。表示またはディスプレイ機構は、コントローラを用いれば、コントローラ１６２と作動可能に接続することができる。表示またはディスプレイ機構は、例えば、ボタンバッテリなどの動力源を含んでもよく、噴霧器動力源と分けて用いてもよい。表示またはディスプレイ機構は、引き金と独立して作動してもよく、引き金を押すことによって作動してもよい。
【００９８】
図１９は、本発明の噴霧器の一実施形態を示し、引き金１０または作動メカニズムに作動可能に接続された可変抵抗器または抵抗式スイッチ１６６を示す正面図である。抵抗式の配置、スイッチまたは回路は、周知であり、いかなる可能な抵抗式の配置、スイッチまたは回路も本発明に係る噴霧器に、例えば、引き金または作動メカニズムのモータの速度を制御したり調節したりするのに用いることができ、そのようにすることによってポンプサイクルの速度及び放出される流体の量を制御することができる。本発明に係る噴霧器において、引き金は適当なばね１６８または異なるバイアスまたは張力装置によってオフ位置で加圧（ｕｒｇｅｄ）できる。
【００９９】
図２０及び２１は、本発明の噴霧器の一実施形態を示し、噴霧器３は出される物質の容器４に作動可能に接続され、しかし、離れたり、分離したり、または、間接的に接続される。図２１に示すように、本実施形態は、ノズル３００、ストッパバルブ３０２、ノズル３０４、バルブケース３０６、ギヤ３０８、シール３１０（及び、必要ならば、他のシール及びワッシャ）、ギヤボックス３１２、及びギヤ３１４、３１６、３１７を含む。図２０にさらに示すように、本実施形態は、半分のハウジングで形成されるハウジング３２０を含み、図２１に参照する部品を含んだり、装着したりする一般的にピストル状噴霧器または、スプレーヘッド３を含む。スプレーヘッドは、ＰＣＢ３２２、導管３２４、適当なバッテリコンタクト３２８を含むバッテリハウジング３２６、そして引き金３３０及び引き金スイッチ３３２を含む作動装置をさらに含む。導管３２４は、作動可能にキャップ３３６を介してスプレーヘッドと容器３３４とを接続する。容器は、スプレーヘッドからいかなる適切な長さであってもよく、スプレーヘッドと分離して運ぶこともできる。スプレーヘッドは、フック及びループコネクタ（ｌｏｏｐ  ｃｏｎｎｅｃｔｏｒ）によって容器に分離可能に接続される格納ポジションを含んでもよい。
【０１００】
本発明に係るスプレーヘッド３のいずれの実施形態も、使い捨てにできる可能性があることを知るべきである。すなわち、いずれのスプレーヘッドまたはアセンブリ３も、例えば、ハンドルまたはヘッドなどの適当な位置に、交換できないアルカリバッテリを装着してもよい。従って、例えば、使い捨てスプレーヘッドは、購入することができ、容器に接続することができ、容器が空になれば捨てることもできる。
【０１０１】
図２２〜２６は、本発明の噴霧器に適する使用のためのポンプの一実施形態を示し、より具体的には、蠕動性型のポンプを示す。図２５ａ及び２５ｂによれば、一般に示されるポンプは、ポンプハウジングシェル３４０を含み、適当なハウジング部またはシェル状に形成されることを含む。ハウジングまたはシェルの１つまたは、他の部分は、順々にローラ３４４及びギヤ３４６を含むギヤ及びローラアセンブリ３４３を伴い、適当な軸またはピン３４２を伴う。例えば、いくつのギヤでも動き、いくつのローラでも用いることができる。適当な大きさのモータ３４８がポンプハウジングに結合されたり、または適当にスプレーヘッドのポンプハウジングと近接したりするように装着される。シリコーンなどの適した材料で作られた柔軟なプラスチックチューブ３５０は、容器からノズル３５２まで伸びて、それによって蠕動ポンプに作動可能に結合される流路を形成する。ギヤ３４６によって周期的に、及び反復して駆動するように用いられるローラ３４４は、チューブを介してノズルの外に出される物質のパルス（ｐｕｌｓｅ）またはサージ（ｓｕｒｇｅ）を送るように柔軟なチューブ３５０を圧搾する。図２２〜２６のポンプ実施形態は、適当な引き金メカニズム３５４によって作動することができ、安全ロック３５６を含んでもよい。適切なモータは、ＦＡ−１３０ＲＡ−２２７０モータであるが、いかなる適切なモータも使用することができる。図示するギヤ配置のギヤ比は３０：１であるが、必要によって変えることができる。本発明のある実施形態のように、モータはギヤアセンブリに対して選択されるように位置することができることが分かる。言い換えれば、適当なモータが所望の輸送性又は駆動効果を提供するために直接的または間接的に接続することができる。
【０１０２】
図２５及び２６は、蠕動ポンプを含む本発明の噴霧器の模範的な実施形態を示し、どのように圧縮性の導管３５０がポンプユニットを介して容器４からノズル８まで通過するかを示す。図２５ｃ、２５ｄ、及び２５ｅはローラ３４４とギヤ３４６が形成されたギヤ及びローラアセンブリ３４３を含む柔軟なポンプを有する本発明の噴霧器のまた他の実施形態を示す。シリコーンのような適した材質で作られた柔軟なプラスチックチューブ３５０は、容器からノズル３５２まで伸びて、それによって蠕動ポンプと作動可能組み込む流路を形成する。図面から確認できるように、蠕動ポンプを含む噴霧器は上記に説明したように、分離したバッテリ区画を含んでも含まなくてもよい。
【０１０３】
本発明の動力噴霧器のいかなる実施形態も適したディスペンス特性調節ノズルと共に提供してもよい。ノズルは、出される物質のストリームを提供する標準タイプの噴霧器、ストリーム、調節可能なノズル、例えば、ノズルキャップの内部に高速の狭いストリームを生成する直線的流路を有するノズルを含む。スプレー（噴霧）またはミスト（霧）特性のために、ノズルは、例えば、回転及び乱流特性を与えるための適した螺旋形の溝を含むことが適する場合もある。ノズルは、微細、中間、及び粗い特性で出される製品の円錐形の噴出水流または、雲を形成してもよい。微細噴霧器は、高度に霧状にされたミストに相応し、中間は霧状にされたスプレーに相応して、粗いはスプレーまたは粗いストリームに相応する。
【０１０４】
本発明のノズル８は、噴霧可能な構成にのみ使用可能にしてもよく、または発泡ノズルの配置に使用可能にしてもよく、空気取り入れ口は空気がストリームまたはスプレーパターンでノズルを通過する物質のストリームに提供してもよい。このような空気の導入は、発泡作用のために空気と出される流体が混ざるように乱流を形成する。如何なるノズルも、例えば、こすり洗い、研磨、殺菌などの特定目的のための取付け、作業端または、機構を提供するように採用してもよい。
【０１０５】
他の実施形態において、ノズルは「無限」噴霧器ストリームの調節可能なノズルを含んでもよい。このようなタイプの調節可能なノズルは当業者に周知であり、全領域のストリーム及び噴霧パターンを有するねじタイプのノズルを含むか、例示される。いかなるノズルの実施形態もスナップ式、キャップ及び／またはノズルを洗浄したり清掃したりするために除去可能なキャップを含んでもよい。
【０１０６】
外部シェルを含む本発明を形成するために組み込まれる部品及び出される物質と接触する部品は、何れの適した物質から作ってもよい。例えば、柔軟なチューブはシリコーンから作ることもできる。ポリエチレンまたは、ステンレススチールは、有機溶媒、酸、塩基、及び本発明の使用に適用可能な他の化学物質に優れた抵抗性を有する他の典型的なな材料である。
【０１０７】
一実施形態において、本発明は、不要な流体の流れ停止要素を含んでもよい。使用中、引き金の作動が終わった後に、噴霧器は漏れたり、ノズルから少量の流体が出続けたりすることもある。停止要素は引き金が作動しない間、ノズルから漏れる流体の流れを止める。
【０１０８】
本発明の一側面において、停止要素は、噴霧器を作動することができるだけでなく、引き金が解放された時に不要な流体の流れを止めることもできる引き金である。図３１Ａ及び３１Ｂは、図３１Ａに示した作動位置と、図３１Ｂに示した作動しないまたは解放された位置の間を切替える引き金５０２を含む噴霧器５００を示す。一実施形態において、引き金は作動部５０４、停止部５０６、及び回転要素５０８を含む。噴霧器５００は、ノズル５１２、及び流体連通するチューブ５１０を含む。一実施形態において、チューブ５１０はノズルチューブである。これに対して、チューブは流体が流れるようにし、流体を供給する噴霧器システムのどの部分または要素であってもよい。また、噴霧器５００は接触部５０６の反対側のチューブ５１０の側に位置する対向要素５１４、及びユーザによって作動する間に作動部５０４が動く方向と反対方向に作動部５０４を加圧するように位置するばね要素５１６を含む。
【０１０９】
使用中、引き金５０２は、ユーザが引き金５０２の作動部５０４を押すことによって作動することができ、それによって引き金５０２が回転要素５０８で回転又は「切替わる」ようにする。このような回転は、ここに開示したいかなる機構によっても噴霧器の作動をするようにし、接触部５０６がチューブ５１０から離れるようにして、流体がチューブ５１０を介して流れるようにする。作動部５０４がその後で解放されると、ばね要素５１６は、作動部５０４を反対方向に加圧して、それによって引き金５０２が回転要素５０８で回転したり切替わるようにしたりして、チューブ５１０が接触部５０６と対向要素５１４との間で押さえつける時まで接触部５０６がチューブ５１０に向かって動き、それによってチューブ５１０の押さえつけられた部分によっていかなる流体も流れることができないようにする。
【０１１０】
図３２は、本発明の一実施形態により、噴霧器システムの一部として流体の流れ停止要素５０２を示す。
【０１１１】
流体の流れ停止要素の他の実施形態を図３３Ａ、３３Ｂ、３４Ａ、及び３４Ｂに示す。停止要素は、バルブ６０４に接続された引き金６０２を含む引き金及びバルブ機構６００である。引き金６０２は、作動可能にバルブの柄要素６０６に接続される。バルブの柄要素６０６は、その長手方向に沿って形成された開口６０８を含む。しかも、バルブの柄要素は、バルブ６０４で流れる位置と停止位置との間で動くことができる。流れる位置で、図３３Ａ及び３３Ｂに示すように、バルブの柄要素６０６の開口６０８は、チューブ６１０と流体連通されるように位置し、流体がチューブ６１０とバルブの柄要素の開口６０８を介して流れることができる。停止位置で、図３４Ａ及び３４Ｂに示すように、開口６０８はチューブ６１０と流体連通しないように位置し、従って、バルブの柄要素６０６は、チューブ６１０を介して流体が流れるのを防ぐ。
【０１１２】
一実施形態において、チューブ６１０は、容器（図示せず）とポンプ（図示せず）との間に位置するチューブである。これに対して、チューブは流体が流れるようにしたり、流体を供給したりする噴霧器システムのどの部分または要素であってもよい。
【０１１３】
使用中、引き金６０２が押されると、開口６０８は、チューブ６１０と流体連通するように動いてスプレー流体がチューブ６１０を介して動くことができ、よって噴霧作用をもたらすができる。引き金に加えた圧力が解放されると、バルブの柄要素６０６は、チューブ６１０を通した流れが止まるように動き、それによって流体流れが止まり、一実施形態において、装置からの不要な漏れまたは滴りを防ぐ。
【０１１４】
他の実施形態に係る流体の流れ停止要素は、分離した要素で引き金の一部分ではない。一実施形態において、流体の流れ停止要素は、図３に示すスライドボタン２５に似ている。本実施形態のスライドの態様は、チューブ圧縮構造）に作動可能に接続することができる。
【０１１５】
一実施形態に係るチューブ圧縮構造７００が図３５に示される。構造は、２つの接触要素７０２、７０４を含む。接触要素７０２、７０４のうちの１つまたは２つは、回転要素７０６で流体の流れチューブ７０８が接触要素７０２、７０４の間で押さえつけられるように動くことができ、それによってチューブ７０８に流体が流れるのを停止させる。このような実施形態で、説明された流体の流れ停止要素は、接触要素７０２、７０４のうちの１つまたは２つと作動可能に接続される。
【０１１６】
一実施形態において、スライドボタン２５は、流体の遮断バルブ９０２と直接噛み合わさる。図３８に示す本発明の実施形態に示すように、ロックボタン９０４は２つの他の機能を提供する。一つの機能は、引き金１０の動きを遮断する。それにより、電気的システムをロックし、上記にて説明したスライドボタン２５と似たように電気的回路の完成を防ぐ。第２の機能は、ロックボタン９０４によって直接制御される遮断バルブ９０２を用いて流体の流れを止めることにある。ロックボタン９０４がロック位置に押されると、引き金１０を引くことができず遮断バルブ９０２は閉じる。閉鎖位置で、遮断バルブ９０２は、噴霧器２で流体が漏れるのを防止する。ロックボタン９０２が「ＯＮ」位置にくれば、引き金１０を引くことができ、遮断バルブ９０２は開く。遮断バルブ９０２が開放状態になれば、流体はポンプ３４に流れることができる。
【０１１７】
これに対して、流体の流れを停止させるために、停止要素は、いかなる作動可能な装置を含むいずれかの周知の装置である。
【０１１８】
一実施形態において、本発明は、ポンプ３４で流体をトラップするトラップバルブ９０６を含む。トラップバルブ９０６は、図３９及び４０に示す「ダックビル（ｄｕｃｋ  ｂｉｌｌ）」物質記憶スロットを入れたバルブ（ｍａｔｅｒｉａｌ  ｍｅｍｏｒｙ  ｓｌｏｔｔｅｄ  ｖａｌｖｅ）のように該当技術分野で周知の様々な種類のバルブのうちの１つであってもよい。トラップバルブ９０６は、ポンプ３４が作動する時のトラップバルブ９０６を介して流体を流れるようにし、ポンプ３４が止まった時に流体が流れることができないようにすることによって、ポンプ３４で流体をトラップする。ポンプ３４が作動する間、トラップバルブ９０６上に作用する圧力は、トラップバルブ９０６を開けたり、こじ開けたりして、流体が通過してポンプ３４に流れるようにする。ポンプ３４が止まった時、即ち、圧力が作用しない時、トラップバルブ９０６は閉じる。トラップバルブ９０６上の流体は、トラップバルブ９０６を介して後に抜け出ることができない。従って、流体はポンプ３４にトラップされて、ポンプ３４が再び作動する時までポンプ３４に残っている。トラップバルブ９０６は吸入開口部８６とポンプ３４との間に流路に沿ったいかなる位置にあってもよい。
【０１１９】
トラップバルブ９０６は、本発明において少なくとも２つの理由によって有利である。第１に、トラップバルブ９０６は、ポンプ３４のなめらかな状態に維持する。ポンプ３４の乾燥を防ぐことによって、特定種類の流体が乾燥したときに発生し得る粘着性の問題を排除できる。持続的な潤滑性は、ポンプ３４の長い寿命を提供する。第２に、ポンプ３４が再作動する時、最大の推進力の改善が達成される。ポンプ３４内に流体を含むことによって、ポンプ３４は強力な吸引（ｄｒａｗ）を有し、主な力はポンプ３４に空気が満たされる間に初めて作動する時よりもさらに効果的である。
【０１２０】
一実施形態において、本発明は、本発明の動力噴霧器に結合されたり、及び／または共に用いられたりするように設計されたキャディ（または、キャリア、カート、手押し車等と呼ぶことができる）を含んでもよい。図２７〜３０は、家、庭園、店、または、ガレージで使用することのできる典型的なキャディを開示する。図２７〜２９に示すように、キャディ４００は、胴体部、タンク４０４、及び胴体部に取付ける快適なグリップを提供する伸縮自在のハンドル４０６を含む。胴体部に脱着可能であるか胴体部に一体に形成することができるタンクは、内容物のレベルを確認するための透明部４０５を含む。ハンドルまたは胴体部は、スプレーヘッド３を運ぶためにホルスター４１０（ｈｏｌｓｔｅｒ）を備えてもよい。キャディは、金属軸４１４に接続されるスナップ式非潤滑ベアリングタイプホイールであってもよい一対のホイール４１２を含む。ホース４１６は、一端がタンクに作動可能に接続されて他端がスプレーヘッド３に接続される。図２８に示すスプレーヘッド３は、何れのポンプ及び／または本発明に対して説明された何れの機構とも結合でき、ある実施形態では、高い出力ギヤタービンポンプを含んでもよい。一実施形態において、このようなタイプのポンプは、高速のモータ及び１４ｆｔまたは、２５ｆｔ半径ぐらいの流体の連続的なストリームを生成できる高い出力流体ギヤポンプを含んでもよい。キャディの部品は、適切な材料で形成されるが、例えば、様々な、適したプラスチックをモールド部に用いてもよく、プラスチックは一般的に周知の「ＰＰ」、「ＰＶＣ」、「ＰＶＤＦ」、またはＦＣＲ、ニトリルＰＶＣ混合物または、他のＰＶＣ−ベースの物質で作られる軟らかい管類に適した「ＰＢＴ」レジンを含む。適したシリコーンまたは、別の種類のＯリングが密封のために提供されてもよい。一般的に出される特定の物質、液体または流体で用いるのに有利な特性を有する何れの材料も本発明または部品として統合してもよい。
【０１２１】
一実施形態において、キャディは、動力噴霧器を組み込む。噴霧器は、ギヤ、ピストンまたは、蠕動ポンプを含む、適したポンプによって作動したり動力を伝達したりすることができる。いかなる適切なモータ及び／またはギヤ、または動力伝達装置も選択された種類のポンプを作動するのに用いることができる。ある実施形態では、ポンプ、ポンプドライブ、導管及びノズル機構は、最適性能のために共に変えることができる。上記にて説明したように、ノズル自体は、シングルディスペンスモードノズル、調節可能なスプレーノズル、発泡ノズル、または、無限に調節可能なノズルであってもよい。
【０１２２】
図３０は、本発明の動力噴霧器と結合するキャディの一実施形態を示す。この実施形態はトレー状容器に合う機構を有する胴体部４０２、１つまたはそれ以上のスプレーヘッド３、及び適切なホースまたは導管（スプレーヘッド３の一部分であってもよい）を含む。胴体部は、型で作ったり、または別のやり方で適切に形成したりしてもよい。２つのピストル型動力噴霧器３が提供されてもよく、２つの分離した容器、または容器に適した胴体部内に２つの分離した空間が提供されてもよく、長手袋、セーム（ｃｈａｍｏｉｓ）等の他のアイテムが提供されてもよい。このような方法によって、噴霧器３のうちの１つは、窓クリーナー、またはビニル保護剤をスプレーするのに用いることができ、他の噴霧器はワックス、タイヤ用保護ツヤ出し剤、虫クリーナー、石鹸、などをスプレーするのに用いることができる。それぞれの動力噴霧器は、説明されたように（例えば、図２０に示すように１つのバッテリまたは、複数のバッテリ）独立した動力源と共に提供することができ、適切な導管、またはチューブによって出される物質の容器に接続される。
【０１２３】
他の実施形態では、本発明の噴霧器は、作動装置アシストを含むバルブをさらに含むことができる。一実施形態において、図４１に示すように、バルブ１０１０、または、流れの制御、開始、及び停止のための類似の装置は、アンブレラバルブまたは、バタフライバルブなどやこれを含むことができる。ある実施形態では、バルブ１０１０は、一定の方向、または、一方向バルブであることもあって、それにより流体または、空気を一方向に流れるようにしてもよい。他の実施形態では、バルブ１０１０は空気または、流体容器を含むシステムに接続されたり、作動可能に接続されたり、または異なるように接続することができる。バルブ１０１０は傘型の膜（ｕｍｂｒｅｌｌａ  ｍｅｍｂｒａｎｅ）または、ディスク１０１２、ばねまたは、ばね型構造１０１４、吸入端部１０１６、そして排気端部１０１８を含んでもよい。傘型ディスク１０１２は、一般的に細くて、平たく、円形である。しかし、これらに制限されることはなく、楕円形などの他の適した形、及び厚いものを用いることもできる。傘型ディスク１０１２を生産できる材料は、バルブ１０１０、バルブ１０１０が用いられるディスペンシング装置またはシステム、及び／または、ディスペンシング装置、またはシステムの容器に提供される流体の使用などに応じて様々である。傘型ディスク１０１２は、制限されることはないが、ゴム、プラスチックまたは、他の適した重合体などを含むいかなる適切な材料からも生産することができる。傘型ディスク１０１２は通常は閉鎖位置を有し、傘型ディスク１０１２は実質的にディスクシート１０２０に対して密封を形成し、それによって吸入端部１０１６から排気端部１０１８まで空気が流れないようにする。
【０１２４】
ばね１０１４は、閉鎖位置に向かって傘型ディスク１０１２にバイアスを与えてもよい。バルブ１０１０は、ばね１０１４と優先型ディスク１０１２間に支持構造１０２２をさらに含んでもよい。支持構造１０２２は、ばね１０１４と傘型ディスク１０１２との間の直接的な接触を防ぎ、それによってばね１０１４との直接接触によって起き得る傘型ディスク１０１２の損傷を防いでもよい。
【０１２５】
ある実施形態では、バルブ１０１０は、空気回復バルブで用いることができる。吸入端部１０１６は、バルブ１０１０に入る空気を通過させる１つまたは、それ以上のスロットまたは、開口１０２４を含むことができる。排気端部１０１８は、容器または、真空圧力の他のソースに直接的にまたは、作動可能に接続することができる。
【０１２６】
排気端部１０１８の真空圧力、または、容器の圧力が、例えば、ディスペンシング装置または、システムが作動して、容器から空気または、流体が除去されることによって周辺圧力以下に落ちる時、排気端部１０１８に形成された真空は、バルブ１０１０を開放するようにしてもよい。すなわち、排気端部１０１８に形成された真空は傘型ディスク１０１２がばね１０１４及び支持構造１０２２のバイアスを打ち勝つようにしてディスクシート１０２０から退かせる。従って、傘型ディスク１０１２は開放してもよく、吸入端部１０１６から排気端部１０１８に空気が流れるようにし、ある実施形態では、容器内に流れるようにしてもよい。一実施形態によれば、傘型ディスク１０１２とバルブ１０１０は、排気端部１０１８の最小限の真空圧力が傘型ディスク１０１２を開放し、または、傘型ディスク１０１２をディスクシート１０２０から退くように構成してもよい。しかし、傘型ディスク１０１２は、閉鎖または、シート状態であり、容器から流体がバルブ１０１０を介して漏れないように十分に強く構成してもよい。排気端部１０１８の真空圧力、または、容器の圧力が実質的に周辺圧力に到達すれば、ばね１０１４のバイアス及び支持構造１０２２は、排気端部１０１８に形成された真空を克服することができ、傘型ディスク１０１２はディスクシート１０２０に再び位置することができて、それによって吸入端部１０１６から排気端部１０１８まで空気が流れるのを防止することができる。
【０１２７】
いくつかのケースで、容器の流体は、空気清浄剤、殺虫剤、石鹸の泡除去剤、タイルグラウトクリーナー（ｔｉｌｅ  ｇｒｏｕｔ  ｃｌｅａｎｅｒ）、窓クリーナー、多用途クリーナーなどを含むことができる。従って、いくつかのケースで、流体は、アグレッシブ傘型ディスク１０１２上に粘着性のある残留物を残すことのある決まりきった方式を含んでもよく、それによってバルブ作動などによる失敗または不一致を引き起こすことがあり、容器における充分な空気の流れを妨げる。例えば、粘着性のある残留物は、傘型ディスク１０１２が開放した状態で粘着して漏れの原因となることがあり、及び／または、閉鎖した状態で粘着して、流体または空気が通過できなくすることもある。粘着性のある残留物は、例えば、傘型ディスク１０１２と容器から出てくるバルブ１０１０から入り込む流体との間の直接的な接触によって発生することがあり、容器の流体から発生する蒸気と傘型ディスクとの接触によって発生することもある。
【０１２８】
従って、一実施形態において、バルブ１０１０は、機械のタブ、ロッド、または、レバーなどの、バルブ１０１０の開口部を開く、または開き始める機械式作動装置をさらに含んでもよい。機械式作動装置を用いてバルブ１０１０の開口部を開き始めれば、容器に形成された真空がバルブ１０１０の開放位置を保持したり、または、バルブの開放状態を続けたりする。従って、空気は吸入端部１０１６から排気端部１０１８に流れることができる。一実施形態において、機械式作動装置は、一般的に吸入端部１０１６の近くのプッシュロッド（ｐｕｓｈ  ｒｏｄ）１０２６であってもよい。プッシュロッド１０２６は、バルブ１０１０の吸入端部１０１６から突出した一端を有するノーマル位置を含んでもよい。一実施形態において、プッシュロッド１０２６は、ディスペンシング装置または、システムの引き金によって作動してもよい。引き金の作動上で、引き金はプッシュロッド１０２６の突出端部に接することがあり、プッシュロッドの反対側端部が傘型ディスク１０１２と接触するようにしてもよい。プッシュロッド１０２６と傘型ディスク１０１２の間の接触は、ディスクシート１０２０から傘型ディスク１０１２を退かせたり、退くのを開始したりしてもよい。引き金が容器から空気または、流体の流れをまた、作動できるため、容器に形成された結果的な真空は、ディスクシート１０２０から傘型ディスク１０１２が退いた状態で残っていたり、持続的に退いた状態になるようにしたりすることができ、それによってバルブ１０１０は、開かれる。他の実施形態において、排気端部１０１８の真空はプッシュロッド１０２６を作動するのに用いられる機構から独立的に形成される。他の実施形態において、プッシュロッド１０２６は、制限されることはないが、スイッチ、ギヤボックスアセンブリなどのような引き金以外の他の部品によって作動してもよい。他の実施形態において、プッシュロッド１０２６は、ディスペンシング装置またはシステムのいかなるカムまたはポンプからのレバーアセンブリ、ギヤボックス、モータアセンブリなどのディスペンシング装置またはシステムに適したいかなる機構によっても作動することができる。
【０１２９】
一実施形態において、機械式作動装置は、吸入端部１０１６から排気端部１０１８まで空気または、流体が流れるように十分にバルブ１０１０を開かない。むしろ、機械式作動装置は、容器に形成された真空が傘型ディスク１０１２を開くための十分な力を提供する間に開放を開始する。容器の圧力が実質的に周辺圧力に到達すれば、ばね１０１４のバイアス及び支持構造１０２２は容器に形成された真空に打ち勝って、傘型ディスク１０１２はディスクシート１０２０上の所定の位置に戻ることができ、それによって吸入端部１０１６から排気端部１０１８までの流れを防ぐ。他の実施形態において、機械式作動装置は、吸入端部１０１６から排気端部１０１８まで空気または、流体が十分に流れるようにバルブ１０１０を十分に開いて、容器に形成された真空はバルブ１０１０が開放状態で保持されるように力を提供してもよい。しかも、機械式作動装置は傘型ディスク１０１２をいかなる適当な場所にも退くように用いてもよく、容器に形成された真空は傘型ディスク１０１２を開放状態で保ったり、または、傘型ディスク１０１２が完全に開かれた状態で開け続けたりしてもよい。他の実施形態によれば、機械式作動装置はプッシュロッドでなく、タブまたは、機械式スライダなどを用いてもよい。
【０１３０】
図４２及び４３に示すように、ある実施形態では、空気回復バルブ１０３０は、制限されることはないが、噴霧器のようなディスペンシング装置またはシステム１０２８の容器１０３２に空気を戻らせるように用いてもよい。空気回復バルブ１０３０は、空気または、流体の反対方向の流れを防ぐ間に空気を一方向に流れるようにする一方向バルブであってもよい。例えば、空気回復バルブ１０３０は、空気を容器１０３２に向かう方向にだけ流れるようにしてもよく、容器１０３２の外では空気が流れることができないようにしてもよい。空気回復バルブ１０３０は容器１０３２と直接的にまたは、作動可能に接続してもよい。そのように、空気は空気回復バルブ１０３０を介して容器１０３２に流れてもよい。
【０１３１】
一実施形態において、空気回復バルブ１０３０は、空気回復バルブの密封が解放されたり、開かれたりする時に容器１０３２に空気を流れるようにしてもよい。空気回復バルブ１０３０のシールは、容器から流体が引き出されたり、外に出される時に容器１０３２に形成された真空圧力によって解放されたり、開かれたりしてもよい。従って、一実施形態において、空気回復バルブ１０３０を開いて容器１０３２から流体が除去される間、または容器１０３２から流体が除去された少し後に容器１０３２に空気が流れるようにしてもよい。特に、空気回復バルブ１０３０は、例えば、引き金１０３４によってディスペンシング装置１０２８が作動する時、作動する間、及び／または、作動した少し後で空気を容器１０３２に流れるようにしてもよい。
【０１３２】
他の実施形態において、上で説明したように、空気回復バルブ１０３０のプッシュロッド１０２６は、引き金１０３４によって作動してもよい。引き金１０３４は、図４３に示すように、引き金１０３４が作動した時にプッシュロッド１０２６に接触したり、及び／または、押したりすることができるタブ、レバー、接触ポイント、または、１０３６のような構成を含んでもよい。他の実施形態において、引き金１０３４は、タブ１０３６を含む必要はないが、引き金１０３４がプッシュロッド１０２６を作動する他のいかなる適切な方法によって形成したり構成したりしてもよい。しかし、他の実施形態において、引き金は、引き金１０３４の作動上で、分離したバッテリ区画と隣接したり及び／または接触したりして、下記にてさらに説明するが、ディスペンシング装置１０２８の電気回路及び作動を完成ための他のタブ、レバー、接触ポイント、または、１０３８のような構成を含んでもよい。他の実施形態において、引き金１０３４は、タブ１０３８を含む必要がないが、引き金１０３４がディスペンシング装置１０２８の作動のための電気回路を完成するために他のいかなる適切な方法によって形成したり構成したりしてもよい。一実施形態において、タブ１０３６、１０３８は、引き金１０３４の作動上で、タブ１０３６とタブ１０３８が通常、同時にそれぞれのプッシュロッド１０２６とディスペンシング装置１０２８とを作動するように構成してもよい。
【０１３３】
再び、本発明の部品は、プラスチック、ビニル、レジン、金属、合金、接着及び他の適した材料を含む適切ないかなる材料によってもなすことができ、適切な形成または製造及び組立工程を用いることができる。
【０１３４】
本発明を上記にて言及した実施形態を参照しながら説明したが、該当技術分野における当業者であれば、本発明の思想及び範囲から逸脱しないように形状及び詳細な部分で変形することができる。例えば、動力噴霧器に関係する、いくつかの実施形態が説明したが、本発明の空気バルブは動力噴霧器に用いることに制限されず、錠剤、または化学加工産業、コーティングシステム、またはメカニズム、手動噴霧器、ウォーターガン、または他の玩具、ペイント噴霧器、または安定した真空圧力が望まれる環境や、流体を出すことで真空を作り、流体を含む容器に空気を戻すいかなる他の環境を含む様々なアプリケーションにも用いることができる。一般的な水平位置を例示したが、空気回復バルブは一般的に垂直、斜め、または本発明の思想及び範囲から逸脱しない様々な適した角度に位置することもできる。
【図１】
2011530398.tif 000003
【図２】
2011530398.tif 000004
【図３】
2011530398.tif 000005
【図４】
2011530398.tif 000006
【図４Ａ】
2011530398.tif 000007
【図５】
2011530398.tif 000008
【図６】
2011530398.tif 000009
【図７】
2011530398.tif 000010
【図８】
2011530398.tif 000011
【図９】
2011530398.tif 000012
【図１０】
2011530398.tif 000013
【図１１】
2011530398.tif 000014
【図１２】
2011530398.tif 000015
【図１３】
2011530398.tif 000016
【図１４】
2011530398.tif 000017
【図１５Ａ】
2011530398.tif 000018
【図１５Ｂ】
2011530398.tif 000019
【図１６】
2011530398.tif 000020
【図１７】
2011530398.tif 000021
【図１８】
2011530398.tif 000022
【図１９】
2011530398.tif 000023
【図２０】
2011530398.tif 000024
【図２１】
2011530398.tif 000025
【図２２】
2011530398.tif 000026
【図２３】
2011530398.tif 000027
【図２４】
2011530398.tif 000028
【図２５】
2011530398.tif 000029
【図２５Ａ】
2011530398.tif 000030
【図２５Ｂ】
2011530398.tif 000031
【図２５Ｃ】
2011530398.tif 000032
【図２５Ｄ】
2011530398.tif 000033
【図２５Ｅ】
2011530398.tif 000034
【図２６】
2011530398.tif 000035
【図２７】
2011530398.tif 000036
【図２８】
2011530398.tif 000037
【図２９】
2011530398.tif 000038
【図３０】
2011530398.tif 000039
【図３１Ａ】
2011530398.tif 000040
【図３１Ｂ】
2011530398.tif 000041
【図３２】
2011530398.tif 000042
【図３３Ａ】
2011530398.tif 000043
【図３３Ｂ】
2011530398.tif 000044
【図３４Ａ】
2011530398.tif 000045
【図３４Ｂ】
2011530398.tif 000046
【図３５】
2011530398.tif 000047
【図３６Ａ】
2011530398.tif 000048
【図３６Ｂ】
2011530398.tif 000049
【図３７Ａ】
2011530398.tif 000050
【図３７Ｂ】
2011530398.tif 000051
【図３８】
2011530398.tif 000052
【図３９】
2011530398.tif 000053
【図４０】
2011530398.tif 000054
【図４１】
2011530398.tif 000055
【図４２】
2011530398.tif 000056
【図４３】
2011530398.tif 000057
【国際調査報告】
2011530398.tif 000058
2011530398.tif 000059
2011530398.tif 000060
2011530398.tif 000061